(57)【要約】【課題】保持環に対する通風路を確保してその温度上昇を抑えることにより強度低下を防止した回転電機を提供する。【解決手段】  円柱状を成し、その軸方向に沿う複数本のロータバー２５が、互いに間隔を保って環状に配置され、これらロータバー２５の端部は導電性の短絡環３１により相互に短絡されている回転子を有する．短絡環３１は、各ロータバー２５と接続する環状の本体部３１１、及びこの本体部３１１の内周寄りの部分を回転子の軸端方向に延出させた筒状部３１２を有し、この筒状部３１２の外周には保持環３２が嵌合取付けされている。これら保持環３２と筒状部３１２の少なくとも一方には、保持環３２の、短絡環３１の本体部３１１寄りの部分に通じる通風路３５が形成されている。  【選択図】図３
2018196200.tif 000002
【特許請求の範囲】
【請求項１】
円柱状を成し、その軸方向に沿う複数本のロータバーが、互いに間隔を保って環状に配置され、これらロータバーの端部は導電性の短絡環により相互に短絡されている回転子を有する回転電機であって、
前記短絡環は、前記各ロータバーと接続する環状の本体部、及びこの本体部の内周寄りの部分を前記回転子の軸端方向に延出させた筒状部を有し、
この筒状部の外周には保持環が嵌合取付けされており、
これら保持環と前記筒状部の少なくとも一方には、前記保持環の、前記短絡環の本体部寄りの部分に通じる通風路が形成されていることを特徴とする回転電機。
【請求項２】
前記短絡環の前記本体部の端面と、この本体部の端面と対向する前記保持環の端面とは、これら短絡環と保持環との電位差によるアーク発生を防止できる間隔で対峙し、前記通風路は、前記筒状部の内周から前記間隔を有する間隙に通じる貫通孔であることを特徴とする請求項１に記載の回転電機。
【請求項３】
前記保持環の、前記短絡環の本体部寄りの部分には通気孔が設けられ、前記通風路は、前記筒状部の前記本体部寄りの内周面から前記保持環の外周面まで貫通し、前記通気孔に通じる貫通孔であることを特徴とする請求項１に記載の回転電機。
【請求項４】
前記通風路は、前記筒状部の外周面に、その軸方向に沿って形成され、前記短絡環の前記本体部の端面と前記保持環の端面との間隙に通じる通風溝であることを特徴とする請求項１に記載の回転電機。
【請求項５】
前記通風路は、前記保持環の内周面にその軸方向に沿って形成され、前記短絡環の前記本体部の端面と前記保持環の端面との間隙に通じる通風溝であることを特徴とする請求項１又は請求項４に記載の回転電機。
【発明の詳細な説明】
【技術分野】
【０００１】
本発明の実施形態は、複数本のロータバーが互いに間隔を保って環状に配置され、これらロータバーの端部が導電性の短絡環により相互に短絡されている回転子を有する回転電機に関する。
【背景技術】
【０００２】
回転電機の一種である誘導機の回転子は、円柱状の鉄心に、その軸方向に沿って複数本のロータバーを、互いに間隔を保って環状に配置し、これらロータバーの端部を導電性の短絡環により相互に短絡している。この短絡環が運転時の遠心力により膨張するのを防ぐため、短絡環には保持環が一体的に嵌合取付けされている。
【０００３】
このような誘導機の回転子における保持環は、その構造上、冷却表面積（放熱面積）が小さく、誘導機運転時に加熱され易い。加熱した保持環は０．２％耐力が低下するため、それを防ぐには熱容量を増大させるために大形に形成するか、あるい耐熱性の高い素材を使わざるを得なかった。
【先行技術文献】
【特許文献】
【０００４】
【特許文献１】特開閉６−１５３４７１号公報
【発明の概要】
【発明が解決しようとする課題】
【０００５】
このように、誘導機の保持環は運転時に加熱され易く、温度上昇により強度が低下する問題があった。
【０００６】
本発明は、保持環に対する通風路を確保してその温度上昇を抑えることにより強度低下を防止した回転電機を提供することにある。
【課題を解決するための手段】
【０００７】
本発明の実施の形態に係る回転電機は、円柱状を成し、その軸方向に沿う複数本のロータバーが、互いに間隔を保って環状に配置され、これらロータバーの端部は導電性の短絡環により相互に短絡されている回転子を有する回転電機であって、前記短絡環は、前記各ロータバーと接続する環状の本体部、及びこの本体部の内周寄りの部分を前記回転子の軸端方向に延出させた筒状部を有し、この筒状部の外周には保持環が嵌合取付けされており、これら保持環と前記筒状部の少なくとも一方には、前記保持環の、前記短絡環の本体部寄りの部分に通じる通風路が形成されていることを特徴とする。
【０００８】
上記構成によれば、保持環への通風路が確保されるので、保持環を効果的に冷却でき、高温による強度低下を防止することができる。
【図面の簡単な説明】
【０００９】
【図１】本発明の一実施形態に係る回転電機の全体構成図である。
【図２】図１で示した回転子の軸端部分を示す斜視図である。
【図３】図２で示した部分の要部構成を示す断面図である。
【図４】本発明の他の実施の形態における要部構成を示す断面図である。
【図５】本発明のさらに他の実施の形態における要部構成を示す断面図である。
【図６】図５の左側面図である。
【発明を実施するための形態】
【００１０】
以下、本発明の実施の形態について、図面を参照して詳細に説明する。
【００１１】
図１はこの実施の形態に係る回転電機の全体構成を示している。この回転電機１１は、回転子１２及び固定子１３を有する本体部を、フレーム１５内に収容している。このフレーム１５の上部には冷却用の空気室１６が一体的に構成されている。空気室１６内には熱交換用の通気パイプ１７が多数設けられており、これら通気パイプ１７には、空気室１６の図示左右に連結する通気カバー１８，１９を通じて外気が流通する。
【００１２】
すなわち、図示左方の吸気側の通気カバー１８内には回転子１２の回転軸１２１と同軸の外部ファン２１が設けられており吸気用のカバー２２に設けられた吸気口から外気を吸気し、通気カバー１８を通じて空気室１６内の多数の通気パイプ１７に送風する。通気パイプ１７を通った空気は図示右側の通気カバー１９を通って、この通気カバー１９に設けられた排気口から外部に排気される、所謂全閉外扇形の冷却構造を示している。
【００１３】
ただし、本発明の実施形態における特徴部分は、以下に述べるように、回転子１２部分の構造にあり、本発明は上述した全閉外扇形の冷却構造を採用した回転電機に限られることなく、全閉外扇形以外の冷却構造を用いた回転電機にも、もちろん適用可能である。
【００１４】
回転子１２は、円柱状を成し回転軸１２１と一体的に構成された回転子鉄心１２２を有し、その軸方向に沿う複数本のロータバー２５が、所定間隔で環状に配置されている。なお、図１ではロータバー２５の端部のみが図示されている。固定子１３は、円筒状を成す固定子鉄心１３１及び固定子巻線２６を有する。この固定子鉄心１３１の内周面は、回転子鉄心１２２の外周面と間隔を保って対峙している。なお、図１では固定子巻線２６の端部のみが図示されている。
【００１５】
回転子１２の回転軸１２１の、フレーム１５内における左右の部分には内部ファン２８がそれぞれ設けられており、フレーム１５内の空気を、回転子１２の軸方向に沿って設けられた図示しない通風路を通してその中央に向って送風する。この中央に向って送風された空気は、回転子鉄心１２２及び固定子鉄心１３１の軸方向数か所に、それらの半径方向に沿って形成された図示しない通風ダクトを通って空気室１６内に流れる。この空気室１６内には導風板１６１が設けられており、固定子鉄心１３１から空気室１６内に流れた空気を矢印で示すように左右に振り分け、空気室１６の図示左右壁内面に沿って下降させ、フレーム１５内に戻す循環経路を形成する。
【００１６】
このように、フレーム１５内の空気を、回転子１２及び固定子１３を通じて空気室１６内に流し、空気室１６内において多数の通気パイプ１７の外面に接触させて熱交換し、再びフレーム１５内に戻すことにより、運転時に、回転子１２及び固定子１３から発生する熱を効果的に通風冷却する。
【００１７】
回転子１２は、前述したように円柱状を成す回転子鉄心１２２を有し、その軸方向に沿う複数本のロータバー２５が、所定間隔で環状に配置されており、それらの端部は図１で示したように回転子鉄心１２２の端面から突出している。これら複数のロータバー２５の端部は環状に配置されており、導電性の短絡環により相互に短絡されている。以下、この短絡環の構造を図２及び図３を用いて説明する。
【００１８】
図２は複数のロータバー２５の端部短絡構造を示し、図３はその要部であるロータバー２５が１本分、接続された部分の断面構造を示している。図２で示すように複数のロータバー２５は所定間隔を保って環状に配置されており、これらロータバー２５の各端部は、導電性材料による短絡環３１にそれぞれ接続され、相互に短絡されている。
【００１９】
短絡環３１は、図３で示すように、各ロータバー２５と接続する環状の本体部３１１、及びこの本体部３１１の内周（図示下面）寄りの部分を図示左方（図１で示した回転子１２の軸端方向）に延出させた筒状部３１２を有する。また、この筒状部３１２の外周には保持環３２が嵌合取付けされている。この保持環３２としては、機械的強度の高い、例えばステンレス材などを用いる。
【００２０】
前述した短絡環３１の本体部３１１の端面３１１ａと、この本体部３１１の端面３１１ａと対向する保持環３２の端面３２ａとは、所定の間隔ｇを保って対峙するように構成する。この所定の間隔ｇとは、運転時における短絡環３１と保持環３２との電位差によるアーク発生を防止できる間隔（数ミリ程度）とする。また、短絡環３１の筒状部３１２には、その内周から外周面に貫通し、間隔ｇを有する間隙に通じる貫通孔３５を設ける。この貫通孔３５は、保持環３２の、短絡環３１の本体部３１１寄りの部分（間隔ｇを有する間隙）に通じる通風路として機能する。
【００２１】
上記構成において、回転電機の運転時、回転子１２や固定子１３には通電に伴い、熱が発生する。特に、起動時においては大電流が流れるため、発生熱も大きい。この発生熱に対し、回転軸１２１に直結する外部ファン２１及び内部ファン２８の回転により、外気を空気室１６内の通気パイプ１７に流し、かつフレーム１５内の空気を空気室１６内との間で循環させることにより、回転子１２や固定子１３を冷却している。
【００２２】
ロータバー２５の端部においても、図１で示した内部ファン２８からの風が、回転子の軸端方向から送風されるので、図３の図示左方から右方へ空気が流れ、短絡環３１の内周部分の空気の一部は、遠心力により貫通孔３５を通り、本体部３１１の端面３１１ａと保持環３２の端面３２ａとの間隔ｇを有する間隙に流れる。このため、保持環３２は、図示左面及び図示上面に加えて、短絡環３１の本体部３１１と対向する端面３２ａにも空気が流れることにより放熱面積を従来に比べて大きく確保でき、その温度上昇を抑止できる。
【００２３】
すなわち、従来の構造では、短絡環３１の本体部３１１と保持環３２の端面３２ａとの間隔ｇが無いため、保持環３２は充分な放熱面積を確保できず、また、この間隔ｇに通じる貫通孔３５もなかったため、通風による冷却効果も期待できなかった。また、上述した間隔ｇがないため、短絡環３１と保持環３２とは微小間隙で対向することとなるため、この間の電位差により部分的にアークが生じ、損傷することがあった。また、アークによる発熱も加わることになり、保持環３２が著しく加熱されることとなっていた。
【００２４】
これに対し、この実施の形態では、前述のように、短絡環３１の本体部３１１の端面３１１ａと、保持環３２の端面３２ａとが、この間の電位差によるアーク発生を防止できる間隔ｇ（数ミリ程度）を有する間隙を保って対峙しているので、この間にアークが発生することはなく、アークによる損傷を防止でき、かつアーク発生に伴うや加熱を防止できる。また、短絡環３１の筒状部３１２に、間隔ｇを有する間隙に通じる貫通孔３５を通風路として設けたので、保持環３２の端面３２ａを効果的に通風冷却することができ、放熱面積の増大と併せて、保持環３２の加熱を抑止することができる。
【００２５】
このように、保持環３２が効果的に冷却されることにより、温度上昇による強度低下を防ぐことができる。また、保持環３２と短絡環３１の間に間隔ｇを有する間隙を作ることによって、短絡環３１から保持環３２に流入する熱や電流を低減することも可能となる。
【００２６】
なお、通風路として機能する貫通孔３５の個数は、多いほど通風効果は増大するが、機械的強度との関係で、円周角度３６０度に対し１０度毎に１個、或いはロータバーが１１８本の場合、ロータバー３本に１個程度の割合で設ければよい
図４は、短絡環３１の筒状部３１２の軸方向の長さが大きい場合の実施形態を示す。この場合、この筒状部３１２の外周に嵌合する保持環３２も、その軸方向長さが大きい形状となる。そこで保持環３２には、その短絡環３１の本体部３１１寄りの部分に、半径方向に貫通する通気孔３７が設ける。これに対し、短絡環３１の筒状部３１２には、その本体部３１１寄りの内周面から外周面まで貫通し、通気孔３７に通じる貫通孔３５を設ける。すなわち、短絡環３１の筒状部３１２には、保持環３２の、短絡環３１の本体部３１１寄りの部分（通気孔３７）に通じる貫通孔３５が形成され、これが通風路として機能する。
【００２７】
このように構成しても、保持環３２の、短絡環３１の本体部３１１寄りの部分に設けた通気孔３７に、短絡環３１の筒状部３１２内周側からの空気が貫通孔３５を通って流れるために効果的に通風冷却することができ、保持環３２の温度上昇による強度低下を防止できる。
【００２８】
図５及び図６の実施形態は、保持環３２の、短絡環３１の本体部３１１寄りの部分（端面３２ａ）に通じる通風路として、短絡環３１の筒状部３１２の外周面に、その軸方向に沿って形成された通風溝３８を設ける。この通風溝３８は、短絡環３１の本体部３１１の端面３１１ａと保持環３２の端面３２ａとの間隔ｇを有する間隙に通じるものであり、この間を効果的に通風冷却する。
【００２９】
また、この通風溝３８と対向する保持環３２の内周面に、その軸方向に沿って形成された通風溝３９を設けてもよい。この通風溝３９も、短絡環３１の本体部３１１の端面３１１ａと保持環３２の端面３２ａとの間隔ｇを有する間隙に通じるものであり、この間を効果的に通風冷却する。
【００３０】
さらに、これら通風溝３８，３９は、いずれか一方のみを設けてもよく、いずれにしても筒状部３１２及び保持環３２の図示左方から、図１で示した内部ファン２８により送風される空気を、短絡環３１の本体部３１１の端面３１１ａと保持環３２の端面３２ａとの間隔ｇを有する間隙に流すことによりこの間を効果的に通風冷却でき、保持環３２の温度上昇による強度低下を防止できる。
【００３１】
このように、本発明の各実施形態では、保持環３２と短絡環３１の筒状部３１２の少なくとも一方に、保持環３２の、短絡環３１の本体部３１１寄りの部分に通じる通風路（貫通孔３５，通風溝３８，３９）が形成されているので、保持環３２を効果的に通風冷却でき、運転時における保持環の温度上昇を抑止して、加熱による強度低下を防止できる。
【００３２】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３３】
１１…回転電機
１２…回転子
１３…固定子
１５…フレーム
１６…空気室
２５…ロータバー
３１…短絡環
３１１…本体部
３１２…筒状部
３２…保持環
３５，３８，３９…通風路
ｇ…所定の間隔
【図１】
2018196200.tif 000003
【図２】
2018196200.tif 000004
【図３】
2018196200.tif 000005
【図４】
2018196200.tif 000006
【図５】
2018196200.tif 000007
【図６】
2018196200.tif 000008